(57)【特許請求の範囲】
【請求項１】
２色成形で、軸筒に対してエラストマー又はゴム等のグリップを一体成形してなる筆記具の軸筒に於いて、前記軸筒には、グリップの内面が密着する周面とグリップの前後部端面が当接し軸筒の周面に対して略直角な段部がそれぞれ形成され、少なくとも一方の段部には周面から拡大する曲線が全周上に（曲面となり）接続形成されてなることを特徴とする筆記具の軸筒。
【請求項２】
曲線は、１つの円又は２つ以上の円又は直線を挟んだ２つ以上の円とが滑らかに連続して設けられると共に、周面及び段部が略接線となるように円が形成されてなる請求項１に記載の筆記具の軸筒。
【請求項３】
曲線と段部との接点が周面からの段部の高さを１とした時に０．５から０．７の範囲に設けてなる請求項２に記載の筆記具の軸筒。
【請求項４】
周面からの段部の高さを０．７となし、周面の延長線と段部の延長線との交点を原点として、周面方向の円の接点を１、段部方向の円の接点を０．４として設けてなる請求項２に記載の筆記具の軸筒。
【発明の詳細な説明】
【０００１】
【産業上の利用分野】
本発明は、滑り止め用のグリップを備えた筆記具の軸筒の改良に関する。
【０００２】
【従来の技術】
従来、筆記具では長時間筆記をする場合などに握り部が滑ったり、指が痛くなったりすることを解消するために握り部にゴムなどの軟質材料を被嵌した筆記具が知られている。しかしながら、シリコンゴムやＥＰＤＭ、ＮＢＲなどのゴムでは加硫工程が必要であったり長い部品のために取り扱いがやや困難で部品製造がしにくい問題や、軟質性のために取り扱いにくく軸筒に被嵌するのに手間がかかる問題があり安価に提供できない事情があった。また、その問題を解決するために最近では軸筒に２色成形でエラストマーを一体に成形する方法が採用されている。また２色成形で得られた通常の軸筒は、把持位置となる軸筒周面の前後にそれぞれ段部が形成され、その段部と段部の間に形成される凹部にグリップが設けられている。
【０００３】
またエラストマーの成形時には、すでに固化している軸筒周面を含む金型の成形空間部に溶融したエラストマーが流動していくときに、空気の巻き込みや発生するガス等の気体が抜けきれずに上記軸筒に形成した段部の隅に残留し、結果として軸筒の周面とエラストマーとの間に隙間が発生してグリップが剥がれるなどの密着不良や、気泡による痕跡やガスやけなどの外観不良を起こす問題がある。
また特に透明または着色透明のエラストマーを使用する場合には外観不良はいっそう顕著となる。
【０００４】
【発明が解決しようとする課題】
２色成形で成形される滑り止めグリップ用のエラストマーの成形工程に於いて、巻き込んだ空気や樹脂材料に内在する水蒸気や発生ガスなどの気体の残留に起因するグリップの外観不良や剥がれ不良などの問題を防止する。
【０００５】
本発明は、上記課題を達成する為に以下の構成を有する。請求項１に記載の発明に係る筆記具の軸筒は、２色成形で、軸筒に対してエラストマー又はゴム等のグリップを一体成形してなる筆記具の軸筒に於いて、前記軸筒には、グリップの内面が密着する周面とグリップの前後部端面が当接し軸筒の周面に対して略直角な段部がそれぞれ形成され、少なくとも一方の段部には周面から拡大する曲線が全周上に（曲面となり）接続形成されてなる。
【０００６】
請求項２に記載の発明に係る筆記具の軸筒は、請求項１に記載の筆記具の軸筒に於いて、曲線は、１つの円又は２つ以上の円又は直線を挟んだ２つ以上の円とが滑らかに連続して設けられると共に、周面及び段部が略接線となるように円が形成されてなる。
【０００７】
請求項３に記載の発明に係る筆記具の軸筒は、請求項２に記載の筆記具の軸筒に於いて、曲線と段部との接点が周面からの段部の高さを１とした時に０．５から０．７の範囲に設けてなる。
【０００８】
請求項４に記載の発明に係る筆記具の軸筒は、請求項２に記載の筆記具の軸筒に於いて、周面からの段部の高さを０．７となし、周面の延長線と段部の延長線との交点を原点として、周面方向の円の接点を１、段部方向の円の接点を０．４として設けてなる。
【０００９】
【実施例】
本発明の筆記具の軸筒は、先端に筆記部を突出あるいは筆記部を出没可能に収容する筒体であって、筆記に際して軸筒の把持部位置となる部位にはグリップが設けられている。また図１は、軸筒１にグリップ２を設けた従来例を示しているが、外観に於いては図４に示す本発明の軸筒７にグリップを設けたものと同様に示されるものである。
【００１０】
従来の軸筒１は、図２及び図３に示すように把持部位置となる周面４の前後部にそれぞれ段部５，６が形成され、段部６と周面４が交わる隅部は微少な面取り６ａあるいはエッジとなされている。また周面４と段部５，６で囲まれた凹部には図１に示されるようにエラストマー又はゴムによって成形されたグリップ２が設けられる。即ち２色成形によって、グリップ２は軸筒１を一次成形したものをベースとして一体に二次成形されており、軸筒１に対しグリップ２は抜け止め且つ回転止め（相互間を溶着あるいは相互間に係合部位を設けるなど）されて強固に固定されている。
また軸筒１の材質は、ポリカーボネート、グリップ２の材質は熱可塑性エラストマーである。なお軸筒１の材質はＡＳ、ＰＳ、ＰＰなどの熱可塑性樹脂でもよい。
【００１１】
滑り止めグリップ用のエラストマーは２色成形によって軸筒前部側のゲート３より充填される。従来例では軸筒周面を含む金型の成形空間部に溶融したエラストマーが流動していくときに、空気の巻き込みや発生するガス等による気体が抜けきれずに軸筒の周面とエラストマーとの間に隙間が生じてグリップが剥がれるなどの密着不良や、気泡による痕跡やガスやけなどの外観不良を起こす問題が発生した。また特に透明または着色透明のエラストマーを使用する場合には外観不良はいっそう顕著なものとなった。
【００１２】
気体が抜けきれない原因として、段部６と周面４との交点となる隅部が微少な面取り６ａやエッジの場合に気体が残留しやすいことが確認された。また隅部に適宜な曲面を形成することで気体が確実に抜けることが解明された。
従来、軸筒の凹部にグリップを嵌着したものに於いては軟質なグリップが軸筒の周面から浮き上がらないように常識的に隅部をエッジにしてグリップの端面との当接面積を確保していたが、２色成形に於いては軸筒に対しグリップは強固に固定できるので隅部には必要限度内の段部を確保すると共に滑らかな曲線で気体の抜け流路が形成されることでエラストマーの流動、充填がスムーズになり、気体が残留されない為に有効であることが解った。
【００１３】
図４及び図５は本発明の実施例を示している。
実施例の軸筒７は、図に示すように把持部位置となる周面８の前後部にそれぞれ段部９，１０が形成され、段部１０と周面８が交わる隅部は適宜な曲面１１が形成されている。また周面８と段部９，１０で囲まれた凹部には従来例と同様にエラストマー又はゴムによって成形されたグリップが設けられる。
【００１４】
ところで上記実施例に於いてはゲートが軸筒前部側にあり、ゲートから離れたエラストマーの流動末端部となる段部の隅部のみに曲面が形成されているが、無論両側に曲面が形成されてもよい。またゲートが軸筒中央部とすれば曲面は両側に形成される。
【００１５】
また、略直角な周面と段部との隅部に有効な曲面を形成する条件として、曲線は、１つの円又は２つ以上の円又は直線を挟んだ２つ以上の円とが滑らかに連続して設けられると共に、周面及び段部が略接線となるように円が形成されてなること。また曲線と段部との接点が周面からの段部の高さを１とした時に０．５から０．７の範囲に設けてなること。また望ましくは、図６に示されるように周面からの段部の高さを０．７となし、周面の延長線と段部の延長線との交点を原点として、周面方向の円の接点位置を１、段部方向の円の接点位置を０．４として設けてなることである。
【００１６】
また図６に示されるように、２つ以上の円で接続する場合、半径Ｒをエラストマーの流動方向に向けて大きいＲａから小さいＲｂに変化させて接続することが有効である。
また同時に成形用金型の段部に接続するパーティング面にガスベント（空気逃げ溝）を適正に設置することで更に効果が増幅される。
【００１７】
【発明の効果】
本発明の実施例は以上のごとくであり、２色成形で成形される滑り止めグリップ用のエラストマーの成形工程に於いて、巻き込んだ空気や樹脂材料に内在する水蒸気や発生ガスなどの気体が確実に排出され、グリップの外観不良や剥がれ不良などの問題が防止可能となり、耐久性があり良質で外観の良い筆記具の軸筒が提供できる。
【図面の簡単な説明】
【図１】グリップを設けた筆記具の軸筒の構造を示す縦半断面図である。
【図２】従来例である軸筒の外観図である。
【図３】図２に於けるＡ部拡大図である。
【図４】本発明の実施例である軸筒の外観図である。
【図５】図４に於けるＢ部拡大図である。
【図６】実施例の望ましい状態を示した要部拡大図である。
【符号の説明】
１  軸筒
２  グリップ
３  ゲート
４  周面
５  段部
６  段部
６ａ  面取り
７  軸筒
８  周面
９  段部
１０  段部
１１  曲面
１２  周面
１３  段部
【図１】
0004669111.tif 000002
【図２】
0004669111.tif 000003
【図３】
0004669111.tif 000004
【図４】
0004669111.tif 000005
【図５】
0004669111.tif 000006
【図６】
0004669111.tif 000007